(57)【特許請求の範囲】
【請求項１】
上り方向から下り方向に順番に回線接続した１ないし複数台の端末装置それぞれの状況を監視する監視サーバを２台備え、一方の前記監視サーバを上り方向の先頭の前記端末装置に接続し、他方の前記監視サーバを下り方向の最後尾の前記端末装置に接続したＩＰ（Internet  Protocol）ネットワークからなり、前記端末装置それぞれは、当該端末装置内に状況の変化が発生した際に、ＳＮＭＰ（Simple  Network  Management  Protocol）規格準拠の状況変化通知用のＴＲＡＰパケット（トラップパケット）を上り方向と下り方向とに位置する２台の前記監視サーバ双方に送信する端末装置監視システムにおいて、前記端末装置が、当該端末装置と隣接端末装置とを接続する回線の品質劣化を検知した際に、劣化検知装置として、該回線を品質劣化箇所として記憶して、該品質劣化箇所となった品質劣化回線の方向への前記ＴＲＡＰパケットの送信動作を中止し、かつ、以降に発生する状況変化通知用の前記ＴＲＡＰパケットを保存する動作を行うとともに、前記品質劣化回線にて品質劣化が発生した旨を示す回線劣化通知パケットを作成して、当該品質劣化回線とは逆方向に位置しているすべての前記端末装置に対して送信し、前記劣化検知装置からの前記回線劣化通知パケットを受信した前記端末装置は、前記品質劣化回線を品質劣化箇所として記憶して、前記品質劣化回線を通るルートに向かう前記ＴＲＡＰパケットの送信動作を中止し、かつ、以降に発生する状況変化通知用の前記ＴＲＡＰパケットを保存する動作を行うことを特徴とする端末装置監視システム。
【請求項２】
前記劣化検知装置からの前記回線劣化通知パケットを受信した前記端末装置は、以降に発生する状況変化通知用の前記ＴＲＡＰパケットを保存する動作を行う際に、当該回線劣化通知パケットに含まれている前記品質劣化回線において品質劣化が発生した劣化発生時刻と当該端末装置から状況変化通知用の前記ＴＲＡＰパケットを送信した送信時刻とを比較し、少なくとも、前記劣化発生時刻以降に送信していた前記ＴＲＡＰパケットを、前記品質劣化回線の回線品質が正常な状態に回復した場合に再送すべきＴＲＡＰパケットとして保存することを特徴とする請求項１に記載の端末装置監視システム。
【請求項３】
前記劣化検知装置が、前記品質劣化回線の回線品質が正常な状態に回復したことを検知した際に、記憶していた前記品質劣化箇所の記憶を削除して、当該品質劣化回線の方向への前記ＴＲＡＰパケットの送信動作を再開し、送信中止期間中に保存していた前記ＴＲＡＰパケットの送信を行うとともに、前記品質劣化回線が正常な状態に回復した旨を示す回線復旧通知パケットを作成して、回線品質が回復した当該品質劣化回線とは逆方向に位置していて、前記回線劣化通知パケットの送信先となっていたすべての前記端末装置に対して送信し、前記劣化検知装置からの前記回線復旧通知パケットを受信した前記端末装置は、記憶していた前記品質劣化箇所の記憶を削除して、前記品質劣化回線を通るルートに向かう前記ＴＲＡＰパケットの送信動作を再開し、前記品質劣化回線において品質劣化が発生した時点以降に発生した状況変化通知用の前記ＴＲＡＰパケットを送信する動作を行うことを特徴とする請求項１または２に記載の端末装置監視システム。
【請求項４】
前記端末装置は、当該端末装置内に記憶している前記品質劣化箇所の情報を含む回線確認用パケットを、あらかじめ定めた周期ごとに、定期的に、当該端末装置に隣接する隣接端末装置間と送受信し合い、前記隣接端末装置から受信した当該隣接端末装置の回線確認用パケットに含まれている前記品質劣化箇所の情報に基づいて、当該端末装置内に記憶している前記品質劣化箇所の情報を更新することを特徴とする請求項１ないし３のいずれかに記載の端末装置監視システム。
【請求項５】
上り方向から下り方向に順番に回線接続した１ないし複数台の端末装置それぞれの状況を監視する監視サーバを２台備え、一方の前記監視サーバを上り方向の先頭の前記端末装置に接続し、他方の前記監視サーバを下り方向の最後尾の前記端末装置に接続したＩＰ（Internet  Protocol）ネットワークからなり、前記端末装置それぞれは、当該端末装置内に状況の変化が発生した際に、ＳＮＭＰ（Simple  Network  Management  Protocol）規格準拠の状況変化通知用のＴＲＡＰパケット（トラップパケット）を上り方向と下り方向とに位置する２台の前記監視サーバ双方に送信する端末装置監視方法であって、前記端末装置が、当該端末装置と隣接端末装置とを接続する回線の品質劣化を検知した際に、劣化検知装置として、該回線を品質劣化箇所として記憶して、該品質劣化箇所となった品質劣化回線の方向への前記ＴＲＡＰパケットの送信動作を中止し、かつ、以降に発生する状況変化通知用の前記ＴＲＡＰパケットを保存する動作を行うとともに、前記品質劣化回線にて品質劣化が発生した旨を示す回線劣化通知パケットを作成して、当該品質劣化回線とは逆方向に位置しているすべての前記端末装置に対して送信し、前記劣化検知装置からの前記回線劣化通知パケットを受信した前記端末装置は、前記品質劣化回線を品質劣化箇所として記憶して、前記品質劣化回線を通るルートに向かう前記ＴＲＡＰパケットの送信動作を中止し、かつ、以降に発生する状況変化通知用の前記ＴＲＡＰパケットを保存する動作を行うことを特徴とする端末装置監視方法。
【請求項６】
前記劣化検知装置からの前記回線劣化通知パケットを受信した前記端末装置は、以降に発生する状況変化通知用の前記ＴＲＡＰパケットを保存する動作を行う際に、当該回線劣化通知パケットに含まれている前記品質劣化回線において品質劣化が発生した劣化発生時刻と当該端末装置から状況変化通知用の前記ＴＲＡＰパケットを送信した送信時刻とを比較し、少なくとも、前記劣化発生時刻以降に送信していた前記ＴＲＡＰパケットを、前記品質劣化回線の回線品質が正常な状態に回復した場合に再送すべきＴＲＡＰパケットとして保存することを特徴とする請求項５に記載の端末装置監視方法。
【請求項７】
前記劣化検知装置が、前記品質劣化回線の回線品質が正常な状態に回復したことを検知した際に、記憶していた前記品質劣化箇所の記憶を削除して、当該品質劣化回線の方向への前記ＴＲＡＰパケットの送信動作を再開し、送信中止期間中に保存していた前記ＴＲＡＰパケットの送信を行うとともに、前記品質劣化回線が正常な状態に回復した旨を示す回線復旧通知パケットを作成して、回線品質が回復した当該品質劣化回線とは逆方向に位置していて、前記回線劣化通知パケットの送信先となっていたすべての前記端末装置に対して送信し、前記劣化検知装置からの前記回線復旧通知パケットを受信した前記端末装置は、記憶していた前記品質劣化箇所の記憶を削除して、前記品質劣化回線を通るルートに向かう前記ＴＲＡＰパケットの送信動作を再開し、前記品質劣化回線において品質劣化が発生した時点以降に発生した状況変化通知用の前記ＴＲＡＰパケットを送信する動作を行うことを特徴とする請求項５または６に記載の端末装置監視方法。
【請求項８】
前記端末装置は、当該端末装置内に記憶している前記品質劣化箇所の情報を含む回線確認用パケットを、あらかじめ定めた周期ごとに、定期的に、当該端末装置に隣接する隣接端末装置間と送受信し合い、前記隣接端末装置から受信した当該隣接端末装置の回線確認用パケットに含まれている前記品質劣化箇所の情報に基づいて、当該端末装置内に記憶している前記品質劣化箇所の情報を更新することを特徴とする請求項５ないし７のいずれかに記載の端末装置監視方法。
【請求項９】
前記端末装置は、前記隣接端末装置から前記回線確認用パケットを受信した際に、該回線確認用パケットを受信した周期において、当該端末装置から、前記隣接端末装置に対して前記回線確認用パケットを送信していなかった場合には、前記隣接端末装置からの前記回線確認用パケットの受信を契機として、当該端末装置内に記憶している前記品質劣化箇所の情報のうち、該隣接端末装置が位置している方向と逆方向に存在している品質劣化箇所の情報を含む前記回線確認用パケットを応答用として作成して、該隣接端末装置に送信することを特徴とする請求項８に記載の端末装置監視方法。
【請求項１０】
請求項５ないし９のいずれかに記載の端末装置監視方法を、コンピュータによって実行可能なプログラムとして実施していることを特徴とする端末装置監視プログラム。
【発明の詳細な説明】
【技術分野】
【０００１】
本発明は、端末装置監視システム、端末装置監視方法および端末装置監視プログラムに関する。特に、無線アクセス機能を有する端末装置の状況監視のためにＳＮＭＰ（Simple  Network  Management  protocol）通信のＴＲＡＰパケット（トラップパケット）を使用した場合における端末装置監視システム、端末装置監視方法および端末装置監視プログラムに関する。
【背景技術】
【０００２】
ＩＰ(Internet  protocol)ベースのＳＮＭＰ通信におけるＴＲＡＰパケット（トラップパケット）は、端末装置のＳＮＭＰエージェントから監視サーバのＳＮＭＰマネジャに送付される状況変化通知用のパケットである。このＴＲＡＰパケットの受信ロスを監視サーバ側で検知することができるように、特許文献１の特開２００８−９７３２６号公報「ＳＮＭＰシーケンス管理方法、マネジャ装置およびエージェント装置」や特許文献２の特開２００３−２４４１４２号公報「ＩＰネットワークにおけるトラップ抜け検出方式および検出方法」等においては、ＴＲＡＰパケットに送信順を示すシーケンス番号としてＴＲＡＰ  Sequence  ＩＤを付加する技術が提案されている。
【０００３】
また、特許文献３の特開２００８−１９８０４１号公報「装置監視ネットワークシステムおよびＳＮＭＰのトラップ管理方法」においては、単位時間当たりのＴＲＡＰパケット送信数に対する閾値によりＴＲＡＰ群を作成して、ＴＲＡＰ群ごとの連続性チェックによるＴＲＡＰパケットの再送方法について提案している。
【先行技術文献】
【特許文献】
【０００４】
【特許文献１】特開２００８−９７３２６号公報（第６−８頁）
【特許文献２】特開２００３−２４４１４２号公報（第５−７頁）
【特許文献３】特開２００８−１９８０４１号公報（第６−８頁）
【発明の概要】
【発明が解決しようとする課題】
【０００５】
しかしながら、前記特許文献１、特許文献２等に提案されているようなＴＲＡＰ  Sequence  ＩＤを付加する方法の場合、サーバ側では、端末装置からのＴＲＡＰパケットの受信に抜けが発生したことを検出した上で、端末装置に対して、抜けたＴＲＡＰパケットの再送要求を行う必要があり、サーバ側における監視システムの変更が必要となる。さらに、サーバ、端末装置間の回線品質の劣化が発生している場合、回線によるＴＲＡＰパケット落ちに伴う再送が、サーバ、端末装置間で頻繁に行なわれることになり、サーバ側および端末装置側の双方において負荷が増加するという問題があった。
【０００６】
また、前記特許文献３に提案されているようなＴＲＡＰパケット送信数に対する閾値によるＴＲＡＰパケットの再送方法の場合、途中の回線経路におけるネットワーク障害等が発生した際のＴＲＡＰパケットの防御対策として、ＮＭＳ（Network  Management  System）側から確認する必要が生じる。
【０００７】
（本発明の目的）
本発明は、かかる事情に鑑みてなされたものであり、端末装置を監視するためにＳＮＭＰ通信のＴＲＡＰパケットを用いる監視ネットワークとして、監視装置となるサーバの構成／機能を変更することなく、監視対象装置側の端末装置におけるシステム変更のみで、回線劣化によるＴＲＡＰパケットのロスを防御することを可能とする端末装置監視システム、端末装置監視方法および端末装置監視プログラムを提供することを、その目的としている。
【課題を解決するための手段】
【０００８】
前述の課題を解決するため、本発明による端末装置監視システム、端末装置監視方法および端末装置監視プログラムは、主に、次のような特徴的な構成を採用している。
【０００９】
（１）本発明による端末装置監視システムは、上り方向から下り方向に順番に回線接続した１ないし複数台の端末装置それぞれの状況を監視する監視サーバを２台備え、一方の前記監視サーバを上り方向の先頭の前記端末装置に接続し、他方の前記監視サーバを下り方向の最後尾の前記端末装置に接続したＩＰ（Internet  Protocol）ネットワークからなり、前記端末装置それぞれは、当該端末装置内に状況の変化が発生した際に、ＳＮＭＰ（Simple  Network  Management  Protocol）規格準拠の状況変化通知用のＴＲＡＰパケット（トラップパケット）を上り方向と下り方向とに位置する２台の前記監視サーバ双方に送信する端末装置監視システムにおいて、前記端末装置が、当該端末装置と隣接端末装置とを接続する回線の品質劣化を検知した際に、劣化検知装置として、該回線を品質劣化箇所として記憶して、該品質劣化箇所となった品質劣化回線の方向への前記ＴＲＡＰパケットの送信動作を中止し、かつ、以降に発生する状況変化通知用の前記ＴＲＡＰパケットを保存する動作を行うとともに、前記品質劣化回線にて品質劣化が発生した旨を示す回線劣化通知パケットを作成して、当該品質劣化回線とは逆方向に位置しているすべての前記無線装置に対して送信し、前記劣化検知装置からの前記回線劣化通知パケットを受信した前記端末装置は、前記品質劣化回線を品質劣化箇所として記憶して、前記品質劣化回線を通るルートに向かう前記ＴＲＡＰパケットの送信動作を中止し、かつ、以降に発生する状況変化通知用の前記ＴＲＡＰパケットを保存する動作を行うことを特徴とする。
【００１０】
（２）本発明による端末装置監視方法は、上り方向から下り方向に順番に回線接続した１ないし複数台の端末装置それぞれの状況を監視する監視サーバを２台備え、一方の前記監視サーバを上り方向の先頭の前記端末装置に接続し、他方の前記監視サーバを下り方向の最後尾の前記端末装置に接続したＩＰ（Internet  Protocol）ネットワークからなり、前記端末装置それぞれは、当該端末装置内に状況の変化が発生した際に、ＳＮＭＰ（Simple  Network  Management  Protocol）規格準拠の状況変化通知用のＴＲＡＰパケット（トラップパケット）を上り方向と下り方向とに位置する２台の前記監視サーバ双方に送信する端末装置監視方法であって、前記端末装置が、当該端末装置と隣接端末装置とを接続する回線の品質劣化を検知した際に、劣化検知装置として、該回線を品質劣化箇所として記憶して、該品質劣化箇所となった品質劣化回線の方向への前記ＴＲＡＰパケットの送信動作を中止し、かつ、以降に発生する状況変化通知用の前記ＴＲＡＰパケットを保存する動作を行うとともに、前記品質劣化回線にて品質劣化が発生した旨を示す回線劣化通知パケットを作成して、当該品質劣化回線とは逆方向に位置しているすべての前記無線装置に対して送信し、前記劣化検知装置からの前記回線劣化通知パケットを受信した前記端末装置は、前記品質劣化回線を品質劣化箇所として記憶して、前記品質劣化回線を通るルートに向かう前記ＴＲＡＰパケットの送信動作を中止し、かつ、以降に発生する状況変化通知用の前記ＴＲＡＰパケットを保存する動作を行うことを特徴とする。
【００１１】
（３）本発明による端末装置監視プログラムは、少なくとも前記（２）に記載の端末装置監視方法を、コンピュータによって実行可能なプログラムとして実施していることを特徴とする。
【発明の効果】
【００１２】
本発明の端末装置監視システム、端末装置監視方法および端末装置監視プログラムによれば、以下のような効果を奏することができる。
【００１３】
第１の効果として、監視装置のサーバにおいては、監視対象装置である各端末装置それぞれにおける回線の品質劣化状態を意識する必要はなく、かつ、各端末装置それぞれにおけるいずれかの回線に品質劣化が発生した場合においても、サーバが一切関わることなく、各端末装置側にて、品質劣化が発生した回線を通るルートのＴＲＡＰパケットの送信動作を確実に中止することができ、各端末装置からＴＲＡＰパケットにより送信されてくる状況変化に関する情報の受信ロスを防止することが可能である。
【００１４】
第２の効果として、監視装置のサーバにおいては、ＴＲＡＰパケットの受信方法を変えることなく、監視対象装置の各端末装置側でＴＲＡＰパケットの送信動作を中止していた間の状況変化を示す情報を保存していて、回線品質が回復した際に、各端末装置側におけるＴＲＡＰパケットの再送動作が自動的に起動されて、中止期間中に保存していた状況変化通知用のＴＲＡＰパケットを受け取ることができ、各端末装置の状況変化に関する情報を補完することが可能である。
【図面の簡単な説明】
【００１５】
【図１】本発明による端末装置監視システムのシステム構成の一例を示すシステム構成図である。
【図２】ＳＮＭＰ  ＴＲＡＰパケットの一部を構成する変数指定部（Variable  Bindings）に設定する情報の一例を説明するためのテーブルである。
【図３】図１に示す端末装置監視システムの各装置が他の装置に対して通知する回線劣化通知パケットおよび回線復旧通知パケットのフォーマットの一例を説明するためのテーブルである。
【図４】図１の端末装置監視システムの装置間の無線回線の回線品質が劣化した場合の回線劣化通知パケットの通知方向の一例を説明する説明図である。
【図５】図１の端末装置監視システムの装置間の無線回線の劣化していた回線品質が回復した場合の回線復旧通知パケットの通知方向の一例を説明する説明図である。
【図６】図１に示す端末装置監視システムの各装置が隣接する装置に対して定期的に転送する回線確認用パケットのフォーマットの一例を説明するためのテーブルである。
【図７】図１の端末装置監視システムの装置間の無線回線の回線品質の確認を行う回線確認用パケットの送受信動作の一例を説明する説明図である。
【図８】図１の端末装置監視システムの装置間の無線回線の回線品質の確認を行う回線確認用パケットの送受信動作の他の例を説明する説明図である。
【図９】図１の端末装置監視システムの装置間の複数の無線回線の回線品質が劣化した場合に回線劣化通知パケットの通知が分断される様子を説明する説明図である。
【図１０】図１の端末装置監視システムの装置間の無線回線の劣化していた回線品質が回復した場合に送信する回線復旧通知パケットの通知が分断される様子を説明する説明図である。
【図１１】図１の端末装置監視システムの各装置における通常時の動作の一例を説明するためのフローチャートである。
【図１２】図１の端末装置監視システムの各装置における回線劣化通知パケット、回線復旧通知パケットの送信動作の一例を説明するためのフローチャートである。
【図１３】図１の端末装置監視システムの各装置における回線劣化通知パケット受信時の動作の一例を説明するためのフローチャートである。
【図１４】図１の端末装置監視システムの各装置における回線復旧通知パケット受信時の動作の一例を説明するためのフローチャートである。
【図１５】図１の端末装置監視システムの各装置における回線確認用パケット送受信時の動作の一例を説明するためのフローチャートである。
【発明を実施するための形態】
【００１６】
以下、本発明による端末装置監視システム、端末装置監視方法および端末装置監視プログラムの好適な実施形態について添付図を参照して説明する。なお、以下の説明においては、本発明による端末装置監視システムおよび端末装置監視方法について説明するが、かかる端末装置監視方法をコンピュータにより実行可能な端末装置監視プログラムとして実施するようにしても良いし、あるいは、端末装置監視プログラムをコンピュータにより読み取り可能な記録媒体に記録するようにしても良いことは言うまでもない。
【００１７】
（本発明の特徴）
本発明の実施形態の説明に先立って、本発明の特徴についてその概要をまず説明する。本発明は、端末装置（以下、「装置」と単に略する場合もある）の状況監視のためにＳＮＭＰ（Simple  Network  Management  Protocol）通信のＴＲＡＰパケット（トラップパケット：端末装置のＳＮＭＰエージェントから監視サーバのＳＮＭＰマネジャに送付される状況変化通知用のパケット）を用いる監視ネットワークに関するものである。各端末装置は、ＳＮＭＰ通信の相手側の対向装置（端末装置または監視サーバ）との間の回線（無線回線、有線回線）における回線品質状態を観測し、回線品質の劣化が発生したか否かを監視している。回線品質の劣化を検知した際には、端末装置は、回線品質の劣化が発生した回線の方向へのＴＲＡＰパケットの送信を中止し、かつ、該回線とは逆方向に接続されている他の端末装置に対して該回線の回線品質劣化の旨を示す回線劣化通知パケットを送信する。
【００１８】
該回線劣化通知パケットを受信した各端末装置は、回線品質が劣化した回線を通るルートのＴＲＡＰパケットの送信処理を中止して、回線品質の劣化発生時点以降のＴＲＡＰパケットを未送信ＴＲＡＰパケットとして保存する。かかる動作を行うことにより、既存の監視サーバ側の構成／機能を変更することなく、監視対象装置側の端末装置におけるシステム変更のみで、回線品質劣化によるＴＲＡＰパケットのロスを防御することを可能にしている。
【００１９】
さらに、回線品質が劣化した無線回線の無線状況が正常な状態に回復した場合には、回線品質の劣化の旨を示す回線劣化通知パケットを送信済みの各端末装置に対して、回線品質が回復した旨を示す回線復旧通知パケットを送信する。該回線復旧通知パケットを受信した各端末装置においては、当該回線を通るルートに送信することを中止して保存していたＴＲＡＰパケットも含め、ＴＲＡＰパケットの送信動作を再開することにより、監視サーバにおいては、回線品質劣化による監視不能時間における各端末装置の状況変化に関する情報の補完を行うことも可能にしている。
【００２０】
（実施形態の構成例）
次に、本発明の実施形態として、本発明による端末装置監視システムのシステム構成例について、図１を用いて説明する。図１は、本発明による端末装置監視システムのシステム構成の一例を示すシステム構成図である。図１に示す端末装置監視システムは、監視対象の端末装置としては、装置Ｎ１，Ｎ２，…，Ｎ８の８台の端末装置が縦列接続された状態で存在し、これら８台の装置Ｎ１，Ｎ２，…，Ｎ８を監視するために、サーバＡ１、サーバＡ２の２個の監視サーバを備えている場合を示している。ただし、本発明による端末装置監視システムにおいては、監視対象の端末装置の装置数が、図１に例示するような８台に限るものではなく、如何なる装置数であっても構わない。
【００２１】
図１の端末装置監視システムのネットワーク構成としては、監視対象の端末装置である装置Ｎ１−装置Ｎ２，装置Ｎ３−装置Ｎ４，装置Ｎ５−装置Ｎ６，装置Ｎ７−装置Ｎ８のそれぞれの間については、無線回線ＷＬ１２，無線回線ＷＬ３４，無線回線ＷＬ５６，無線回線ＷＬ７８それぞれによってＩＰ（Internet  Protocol）通信を行うが、装置Ｎ２−装置Ｎ３，装置Ｎ４−装置Ｎ５，装置Ｎ６−装置Ｎ７のそれぞれの間については、有線回線Ｗ２３，有線回線Ｗ４５，有線回線Ｗ６７によってＩＰ通信を行うものとする。また、監視サーバのサーバＡ１は、上り方向の先頭に配置されている装置Ｎ１との間で、有線回線Ｗ１１によってＩＰ通信を行い、もう一方の監視サーバであるサーバＡ２は、サーバＡ１側に接続される装置Ｎ１とは反対側にあって、下り方向の最後尾に配置されている装置Ｎ８との間で、有線回線Ｗ８２によってＩＰ通信を行うものとする。
【００２２】
監視サーバのサーバＡ１，Ａ２については、ＳＮＭＰマネジャとしてＩＰベースのＳＮＭＰプロトコルを実装しており、それぞれ、有線回線Ｗ１１，Ｗ８２を経由して、監視対象の８台の装置Ｎ１，Ｎ２，…，Ｎ８との間で、ＩＰベースのＳＮＭＰ通信を行う。一方、監視対象の端末装置である装置Ｎ１，Ｎ２，…，Ｎ８それぞれは、有線回線および無線回線の２つの回線に接続されており、有線回線および無線回線を使用して、上り方向と下り方向との２つの方向に向かって、ＩＰベースのＳＮＭＰ通信を行うことが可能である。
【００２３】
なお、装置Ｎ１，Ｎ２，…，Ｎ８それぞれは、ＳＮＭＰエージェントとして、格納している情報の更新が発生したり、何らかのイベントが発生したりする等の、自装置の状況変化が発生した際に、その旨を示す状況変化通知を監視サーバのサーバＡ１，Ａ２に対して送信するためのＩＰベースのＳＮＭＰプロトコルを実装しており、該状況変化通知を、ＳＮＭＰ通信におけるＴＲＡＰパケット（トラップパケット）を用いて送信する。
【００２４】
このため、装置Ｎ１，Ｎ２，…，Ｎ８それぞれは、有線回線、無線回線のいずれの方向からＳＮＭＰ通信のＴＲＡＰパケットを受信したか、また、いずれの方向に対してＴＲＡＰパケットを送信すべきかを認識することが可能な構成になっている。
【００２５】
また、装置Ｎ１，Ｎ２，…，Ｎ８それぞれは、図１に示すように、ＴＲＡＰ送信先アドレス／方向／劣化通知元テーブル１０ｉ、送信済みＴＲＡＰ  Sequence  ＩＤ管理テーブル２０ｉおよび送信ＴＲＡＰテーブル３０ｉを備えている。ここで、符号に付したｉは、１〜８の整数であり、装置Ｎ１，Ｎ２，…，Ｎ８の装置番号に相当する変数である。例えば、装置Ｎ１の場合は、ＴＲＡＰ送信先アドレス／方向／劣化通知元テーブル１０１、送信済みＴＲＡＰ  Sequence  ＩＤ管理テーブル２０１および送信ＴＲＡＰテーブル３０１を備え、装置Ｎ２の場合は、ＴＲＡＰ送信先アドレス／方向／劣化通知元テーブル１０２、送信済みＴＲＡＰ  Sequence  ＩＤ管理テーブル２０２および送信ＴＲＡＰテーブル３０２を備えている。
【００２６】
１つ目のＴＲＡＰ送信先アドレス／方向／劣化通知元テーブル１０ｉは、ＴＲＡＰパケットの送信先、送信方向および回線劣化通知の通知元を設定するためのテーブルであり、送信先ＩＰアドレス１１ｉ、方向１２ｉ、および、劣化通知元装置１３ｉを少なくとも含んで構成される。送信先ＩＰアドレス１１ｉには、ＴＲＡＰパケットの送信先となる監視サーバのサーバＡ１，Ａ２それぞれのＩＰアドレスを設定する。方向１２ｉには、ＴＲＡＰパケットをサーバＡ１，Ａ２向けに送信するＴＲＡＰパケットの送信方向のポートに接続している回線の回線種別を設定する。図１に示す設定例の場合、上り方向のサーバＡ１向けの送信方向の回線種別が無線回線であり、下り方向のサーバＡ２向けの送信方向の回線種別が有線回線である場合を示している。劣化通知元装置１３ｉには、回線品質の劣化通知を送信してきた通知元の装置をユニークに特定する装置番号を設定する。
【００２７】
なお、本実施形態においては、説明の簡明化を図るために、ネットワークにおいて回線品質の劣化が発生する回線種別は、有線回線ではなく、電波状態等が変化する無線回線の場合であるものとして説明するが、かかる場合のみに限るものではない。すなわち、有線回線に品質劣化等が発生する場合についても対象とする場合は、劣化通知元装置１３ｉの他に、無線回線、有線回線のいずれに回線品質の劣化が発生したかを示す回線種別も合わせて設定するようにすれば良い。
【００２８】
このＴＲＡＰ送信先アドレス／方向／劣化通知元テーブル１０ｉにより、装置Ｎｉ（ｉ＝１〜８）のＳＮＭＰエージェントそれぞれは、自装置Ｎｉから監視サーバのサーバＡ１，Ａ２の各ＳＮＭＰマネジャに対して送信するＴＲＡＰパケットを、いずれの方向のポートに送信すべきか、また、回線の品質劣化例えば無線回線の品質劣化が８台の端末装置のどの装置の回線で発生しているのかを認識することが可能である。
【００２９】
２つめの送信済みＴＲＡＰ  Sequence  ＩＤ管理テーブル２０ｉは、装置Ｎ１〜Ｎ８のいずれかが使用する回線において回線品質の劣化が発生した直前に、自装置Ｎｉから当該回線を通るルートを介して監視サーバのサーバＡ１，Ａ２それぞれに対して送信した最終のＴＲＡＰパケットをユニークに特定するためのＴＲＡＰ  Sequence  ＩＤを設定するためのテーブルであり、送信先ＩＰアドレス２１ｉ、ＴＲＡＰ  Sequence  ＩＤ２２ｉを少なくとも含んで構成される。送信先ＩＰアドレス２１ｉには、ＴＲＡＰパケットの送信先となる監視サーバのサーバＡ１，Ａ２それぞれのＩＰアドレスを設定する。ＴＲＡＰ  Sequence  ＩＤ２２ｉには、回線品質の劣化が発生した時点までに送信した送信済みのＴＲＡＰパケットのうち、該時点の直前で送信した最終のＴＲＡＰパケットをユニークに特定するためのシーケンス番号を設定する。図１の表示例においては、ＴＲＡＰ  Sequence  ＩＤ２２ｉに"３"が設定されており、サーバＡ１，Ａ２のいずれに対しても、ＴＲＡＰ  Sequence  ＩＤが"３"のＴＲＡＰパケットまで送信済みであることを例示している。
【００３０】
このＴＲＡＰ  Sequence  ＩＤ管理テーブル２０ｉにより、装置Ｎ１〜Ｎ８のいずれかの回線に回線品質の劣化が発生した時点までに自装置ＮｉからサーバＡ１，Ａ２それぞれへ送信済みのＴＲＡＰパケットを管理することが可能になる。
【００３１】
３つ目の送信ＴＲＡＰテーブル３０ｉは、装置Ｎｉ（ｉ＝１〜８）において状況の変化が発生した際に該状況変化通知用として自装置Ｎｉから送信したＴＲＡＰパケットを順番に保管するためのテーブルであり、ＴＲＡＰ  Sequence  ＩＤ３１ｉ、時刻３２ｉ、および、ＴＲＡＰ内容３３ｉを少なくとも含んで構成される。ＴＲＡＰ  Sequence  ＩＤ３１ｉには、送信したＴＲＡＰパケットをユニークに特定するためのシーケンス番号を設定する。時刻３２ｉには、ＴＲＡＰパケットを送信した送信時刻を設定する。ＴＲＡＰ内容３３ｉには、状況変化通知用のＴＲＡＰパケットの内容を設定する。
【００３２】
この送信ＴＲＡＰテーブル３０ｉには、状況の変化が発生した最新の送信ＴＲＡＰパケットのみならず、過去に送信した送信ＴＲＡＰパケットも履歴情報として蓄積しているので、今までに送信したＴＲＡＰパケットのうち、任意のＴＲＡＰ  Sequence  ＩＤに対応したＴＲＡＰパケットを後から再送することも可能になる。
【００３３】
次に、状況変化通知用のＴＲＡＰパケットのフォーマットについて、その一例を説明する。装置Ｎ１，Ｎ２，…，Ｎ８それぞれは、自装置の状況の変化が発生した際に、前述のように、監視サーバのサーバＡ１，Ａ２に対してＳＮＭＰプロトコルのＴＲＡＰパケットを用いて状況変化の内容を通知する。この際、状況変化通知用のＴＲＡＰパケットを受信したサーバＡ１，Ａ２が、装置Ｎ１，Ｎ２，…，Ｎ８それぞれにおいて発生した状況変化の内容のみならず、発生した状況変化の発生日時、および、受信したＴＲＡＰパケットの抜けを認識することができるように、装置Ｎ１，Ｎ２，…，Ｎ８から送信するＴＲＡＰパケットには、図２に例示するような情報がＴＲＡＰパケットの変数指定部（Variable  Bindings）に含まれている。
【００３４】
図２は、ＳＮＭＰ  ＴＲＡＰパケットの一部を構成する変数指定部（Variable  Bindings）に設定する情報の一例を説明するためのテーブルであり、前述のように、装置Ｎ１，Ｎ２，…，Ｎ８から送信したＴＲＡＰパケットの順番や状況変化の発生日時や状況変化の通知内容それぞれを示す情報を内包している。
【００３５】
つまり、図２のＴＲＡＰパケットのフォーマットに示すように、ＴＲＡＰパケットの変数指定部（Variable  Bindings）は、複数のフィールドから構成されている。図２のＶＢＬ１フィールドは、送信ＴＲＡＰパケットの順番を示すＴＲＡＰ  Sequence  ＩＤを設定するフィールドであり、ＴＲＡＰパケットのシーケンス番号が設定される。また、ＶＢＬ２フィールドは、状況変化の発生日時を示す変化発生日時を設定するフィールドであり、ＹＹＹＹ／ＭＭ／ＤＤ  ＨＨ：ＭＭ：ＳＳの形式で時刻情報が設定される。また、ＶＢＬ３フィールド，ＶＢＬ４フィールド，…は、変化通知内容１，変化通知内容２，…を設定するフィールドであり、発生した状況変化に関する詳細な通知内容が設定される。
【００３６】
次に、装置Ｎ１，Ｎ２，…，Ｎ８が使用する無線回線、有線回線の回線品質の劣化を検知した場合、逆に、回線品質が正常な状態に回復したことを検知した場合の動作について、回線種別として無線回線の回線品質が変化した場合を例にとって説明する。装置Ｎ１，Ｎ２，…，Ｎ８それぞれは、自装置が使用する無線回線の回線品質の変化を監視するために、無線回線部における無線信号の受信電界レベルを測定しており、測定した受信電界レベルが、回線品質の劣化を検知する電界レベルとしてあらかじめ定めた回線劣化電界閾値よりも低下した場合には、無線回線の品質劣化が発生したことを検知する。
【００３７】
無線回線の品質劣化を検知した装置Ｎｉ（ｉ＝１〜８）においては、品質劣化が発生した無線回線の使用を中止するとともに、その旨を示す回線劣化通知パケットを、ＩＰパケットを用いて作成して、他の装置Ｎｊ（ｊ＝１〜８、かつ、ｊ≠ｉ）に対して通知する。
【００３８】
逆に、回線品質が劣化して使用を中止していた無線回線の回線品質が回復して、受信電界レベルが、回線品質が正常な状態に回復したことを検知する電界レベルとしてあらかじめ定めた回線復旧電界閾値以上に達した場合には、無線回線の品質の回復を検知した装置Ｎｉ（ｉ＝１〜８）においては、回線品質が正常な状態に回復した無線回線の使用を再開するとともに、その旨を示す回線復旧通知パケットを、ＩＰパケットを用いて作成して、他の装置Ｎｊ（ｊ＝１〜８、かつ、ｊ≠ｉ）に対して通知する。
【００３９】
図３は、図１に示す端末装置監視システムの各装置Ｎｉ（ｉ＝１〜８）が他の装置Ｎｊ（ｊ＝１〜８、かつ、ｊ≠ｉ）に対して通知する回線劣化通知パケットおよび回線復旧通知パケットのフォーマットの一例を説明するためのテーブルである。図３に示すように、回線劣化通知パケットおよび回線復旧通知パケットのいずれも、宛先アドレス４１、送信元アドレス４２、および、データ部４３を少なくとも含んで構成される。宛先アドレス４１には、当該パケットを送信する宛先となる装置のＩＰアドレスを設定する。送信元アドレス４２には、当該パケットの送信元の装置のＩＰアドレスを設定する。データ部４３は、通知内容を設定する部分であり、回線劣化通知、回線復旧通知のいずれかを示す通知種別４３ａ、および、当該パケットを送信した時刻を示す通知時刻４３ｂの各フィールドを少なくとも含んで構成されている。
【００４０】
なお、図３の宛先アドレス４１に示すように、宛先アドレス４１には、回線劣化通知パケットおよび回線復旧通知パケットのいずれも、送信元の装置Ｎｉ（ｉ＝１〜８）以外のすべての装置Ｎｊ（ｊ＝１〜８、かつ、ｊ≠ｉ）に対して放送形式で送信している旨を示す「Broadcast  Address」（ブロードキャスト・アドレス）が設定されており、すべての装置Ｎｊ（ｊ＝１〜８、かつ、ｊ≠ｉ）に対して、回線品質の劣化が発生した旨あるいは回線品質が回復した旨を一斉に通知するようにしている。
【００４１】
また、図３のデータ部４３の通知種別４３ａに示すように、通知した内容が、送信元アドレス４２が示す装置Ｎｉ（ｉ＝１〜８）において検知された回線品質の変化の通知が、回線品質の劣化を示す回線劣化通知であるか、回線品質の回復を示す回線復旧通知であるかを、フラグ"１"、"０"によって設定している。ただし、各装置Ｎｉ（ｉ＝１〜８）には、図１に示したように、有線回線と無線回線との２つの回線が備えられているが、本実施形態においては、前述したように、回線品質が変化する回線が無線回線である場合を例にとって示している。有線回線も含めて通知する場合は、回線品質の変化の種別以外に、回線品質の変化が発生した回線種別についても設定するようにしても良い。
【００４２】
また、図３のデータ部４３の通知時刻４３ｂに示すように、回線品質の変化（すなわち回線品質の劣化や回線品質の回復）を検知した時刻を、ＹＹＹＹ／ＭＭ／ＤＤ  ＨＨ：ＭＭ：ＳＳの「年／月／日  時：分：秒」の形式を用いて通知するようにしている。
【００４３】
回線品質の変化を検知した装置Ｎｉ（ｉ＝１〜８）から、図３に示すような回線劣化通知パケット、回線復旧通知パケットを送信することによって、該回線劣化通知パケット、該回線復旧通知パケットを受信した他の各装置Ｎｊ（ｊ＝１〜８、かつ、ｊ≠ｉ）においては、回線品質の変化が発生した発生箇所、回線品質の変化の種別、回線品質の変化の発生時刻を認識することが可能になる。
【００４４】
次に、監視対象の端末装置が使用する無線回線に回線品質の変化が発生した場合の動作について、装置Ｎ３−装置Ｎ４の間の無線回線ＷＬ３４において回線品質の劣化が発生した場合を例にとって、図４を用いて、回線劣化通知パケットの通知方向を具体的に説明する。図４は、図１の端末装置監視システムの装置間の無線回線の回線品質が劣化した場合の回線劣化通知パケットの通知方向の一例を説明する説明図であり、装置Ｎ３−装置Ｎ４の間の無線回線ＷＬ３４において回線品質の劣化が発生した場合を例にとって示している。
【００４５】
図４の装置Ｎ３，装置Ｎ４それぞれにおいては、装置Ｎ３と装置Ｎ４との間の無線回線ＷＬ３４の無線通信部における受信電界レベルを測定して、回線品質の劣化の有無を判定するための電界レベルとしてあらかじめ定めた回線劣化電界閾値よりも低下したか否かを監視している。装置Ｎ３および装置Ｎ４それぞれにおいて、測定した受信電界レベルが前記回線劣化電界閾値よりも低下したことを検知すると、装置Ｎ３および装置Ｎ４それぞれは、装置Ｎ３と装置Ｎ４との間の無線回線ＷＬ３４の回線品質が劣化したものと判定する。
【００４６】
装置Ｎ３および装置Ｎ４それぞれは、無線回線ＷＬ３４の回線品質の劣化の判定結果に基づいて、当該無線回線ＷＬ３４の使用を中止するとともに、無線回線ＷＬ３４の回線品質の劣化が発生した旨を示す図３のような回線劣化通知パケットを作成して、他の装置Ｎ１，Ｎ２，Ｎ５，Ｎ６，Ｎ７，Ｎ８に対して、装置Ｎ３，装置Ｎ４それぞれから放送形式で送信する動作が起動される。
【００４７】
ここで、装置Ｎ３，装置Ｎ４それぞれは、図４に示すように、回線品質が劣化した無線回線ＷＬ３４とは逆方向に回線劣化通知パケットを送信する動作を行う。すなわち、当該無線回線ＷＬ３４の上り方向に位置する装置Ｎ３は、回線品質が劣化した無線回線ＷＬ３４とは逆方向の上り方向に存在している装置Ｎ１および装置Ｎ２に対して回線劣化通知パケットを送信し、一方、当該無線回線ＷＬ３４の下り方向に位置する装置Ｎ４は、回線品質が劣化した無線回線ＷＬ３４とは逆方向の下り方向に存在している装置Ｎ５，装置Ｎ６，装置Ｎ７および装置Ｎ８に対して回線劣化通知パケットを送信する。
【００４８】
その結果、例えば、回線劣化通知パケットの送信元の装置Ｎ３の上り方向に位置する装置Ｎ２においては、該回線劣化通知パケットを正常な有線回線Ｗ２３の方向（すなわち下り方向）から受信し、また、回線劣化通知パケットの送信元の装置Ｎ３の上り方向に位置する装置Ｎ１においても、該回線劣化通知パケットを正常な無線回線ＷＬ１２の方向（すなわち下り方向）から受信するので、装置Ｎ１，Ｎ２それぞれにおいて、装置Ｎ３の無線回線ＷＬ３４において回線品質の劣化が発生したことを確実に認識することができる。
【００４９】
而して、無線回線ＷＬ３４の回線品質の劣化を検知した装置Ｎ３を含め、装置Ｎ１，Ｎ２，Ｎ３それぞれは、それぞれのＴＲＡＰ送信先アドレス／方向／劣化通知元テーブル１０１，１０２，１０３の劣化通知元装置１３１，１３２，１３３に、下り方向のサーバＡ２に向かう通信ルートに存在する装置Ｎ３の無線回線ＷＬ３４に回線品質が劣化している旨を設定する。
【００５０】
したがって、ＴＲＡＰ送信先アドレス／方向／劣化通知元テーブル１０１，１０２，１０３の劣化通知元装置１３１，１３２，１３３をそれぞれ参照する装置Ｎ１，Ｎ２，Ｎ３においては、装置Ｎ１，Ｎ２，Ｎ３それぞれから状況変化通知用のＴＲＡＰパケットを下り方向のサーバＡ２に対して送信する動作は中止され、上り方向のサーバＡ１に対してのみ送信することになる。
【００５１】
さらに、装置Ｎ１，Ｎ２，Ｎ３それぞれにおいては、回線劣化通知パケットのデータ部４３の通知時刻４３ｂに設定されている通知時刻（無線回線ＷＬ３４の回線品質の劣化が検知された時刻）と、送信ＴＲＡＰテーブル３０１，３０２，３０３の時刻３２１，３２２，３２３に設定されている送信ＴＲＡＰパケットの送信時刻それぞれとを比較する。比較結果に基づいて、通知時刻４３ｂに設定されている時刻以降の時刻に送信した下り方向のサーバＡ２向けのＴＲＡＰパケットはサーバＡ２に通知することができなかったものと判定し、通知時刻４３ｂに設定されている時刻よりも前の時刻に送信したサーバＡ２向けのＴＲＡＰパケットまでがサーバＡ２に通知することができたものと判定する。
【００５２】
したがって、装置Ｎ１，Ｎ２，Ｎ３それぞれにおいては、無線回線ＷＬ３４が復旧した旨を示す回線復旧通知パケットを受信して、送信動作を再開する際に、サーバＡ２に対して通知することができなかったと判定した未送信のＴＲＡＰパケットからサーバＡ２に対して再送することを可能にするために、正常に送信済みのＴＲＡＰパケットの最終のＴＲＡＰ  Sequence  ＩＤを取得して保存する、次のような処理を行う。すなわち、装置Ｎ１，Ｎ２，Ｎ３それぞれにおいては、通知時刻４３ｂに設定されている通知時刻の直前の時刻に送信していたＴＲＡＰパケットのＴＲＡＰ  Sequence  ＩＤを、送信ＴＲＡＰテーブル３０１，３０２，３０３のＴＲＡＰ  Sequence  ＩＤ３１１，３１２，３１３それぞれから取得して、送信済みＴＲＡＰ  Sequence  ＩＤ管理テーブル２０１，２０２，２０３のサーバＡ２向けのＴＲＡＰ  Sequence  ＩＤ２２１，２２２，２２３それぞれに設定する。
【００５３】
また、回線品質が劣化した無線回線ＷＬ３４の下り方向に存在する装置Ｎ４から回線劣化通知パケットを受信した装置Ｎ５，Ｎ６，Ｎ７，Ｎ８それぞれにおいても、回線品質の劣化を検知した装置Ｎ４を含め、同様の動作を行う。装置Ｎ５，Ｎ６，Ｎ７，Ｎ８それぞれにおいては、まず、それぞれのＴＲＡＰ送信先アドレス／方向／劣化通知元テーブル１０４，１０５，１０６，１０７，１０８の劣化通知元装置１３４，１３５，１３６，１３７，１３８それぞれに、上り方向のサーバＡ１に向かう通信ルートに存在する装置Ｎ４の無線回線ＷＬ３４に回線品質が劣化している旨を設定する。
【００５４】
したがって、ＴＲＡＰ送信先アドレス／方向／劣化通知元テーブル１０４，１０５，１０６，１０７，１０８の劣化通知元装置１３４，１３５，１３６，１３７，１３８をそれぞれ参照する装置Ｎ４，Ｎ５，Ｎ６，Ｎ７，Ｎ８においては、装置Ｎ４，Ｎ５，Ｎ６，Ｎ７，Ｎ８それぞれから状況変化通知用のＴＲＡＰパケットを上り方向のサーバＡ１に対して送信する動作は中止され、下り方向のサーバＡ２に対してのみ送信することになる。
【００５５】
さらに、装置Ｎ４，Ｎ５，Ｎ６，Ｎ７，Ｎ８それぞれにおいては、回線劣化通知パケットのデータ部４３の通知時刻４３ｂに設定されている通知時刻（無線回線ＷＬ３４の回線品質の劣化が検知された時刻）と、送信ＴＲＡＰテーブル３０４，３０５，３０６，３０７，３０８の時刻３２４，３２５，３２６，３２７，３２８それぞれに設定されている送信ＴＲＡＰパケットの送信時刻それぞれとを比較する。比較結果に基づいて、通知時刻４３ｂに設定されている時刻以降の時刻に送信した上り方向のサーバＡ１向けのＴＲＡＰパケットはサーバＡ１に通知することができなかったものと判定し、通知時刻４３ｂに設定されている時刻よりも前の時刻に送信したサーバＡ１向けのＴＲＡＰパケットまでがサーバＡ１に通知することができたものと判定する。
【００５６】
したがって、装置Ｎ４，Ｎ５，Ｎ６，Ｎ７，Ｎ８それぞれにおいては、無線回線ＷＬ３４が復旧した旨を示す回線復旧通知パケットを受信して、送信動作を再開する際に、サーバＡ１に対して通知することができなかったと判定した未送信のＴＲＡＰパケットからサーバＡ１に対して再送することを可能にするために、正常に送信済みのＴＲＡＰパケットの最終のＴＲＡＰ  Sequence  ＩＤを取得して保存する、次のような処理を行う。すなわち、装置Ｎ４，Ｎ５，Ｎ６，Ｎ７，Ｎ８それぞれにおいては、通知時刻４３ｂに設定されている通知時刻の直前の時刻に送信していたＴＲＡＰパケットのＴＲＡＰ  Sequence  ＩＤを、送信ＴＲＡＰテーブル３０４，３０５，３０６，３０７，３０８のＴＲＡＰ  Sequence  ＩＤ３１４，３１５，３１６，３１７，３１８それぞれから取得して、送信済みＴＲＡＰ  Sequence  ＩＤ管理テーブル２０４，２０５，２０６，２０７，２０８のサーバＡ１向けのＴＲＡＰ  Sequence  ＩＤ２２４，２２５，２２６，２２７，２２８それぞれに設定する。
【００５７】
かくのごとく、例えば無線回線ＷＬ３４に回線品質の劣化が発生した際には、サーバＡ１，Ａ２からの要求や指示を受けることなく、各装置Ｎ１〜Ｎ８からサーバＡ１，Ａ２向けのＴＲＡＰパケットを送信する動作について、回線劣化通知パケットを受信した方向に対するＴＲＡＰパケットの送信動作を、すなわち、回線劣化箇所の無線回線ＷＬ３４を通るルートのＴＲＡＰパケットの送信動作を中止する。さらに、回線品質の劣化発生時刻以降に送信した送信ＴＲＡＰパケットを保存している。したがって、サーバＡ１，Ａ２におけるＴＲＡＰパケットの受信ロスを確実に防止することができる。
【００５８】
次に、各装置Ｎ１〜Ｎ８が、無線回線の回線品質の劣化が発生した以降において、当該無線回線の回線品質が回復したことを確認し、中止していたＴＲＡＰパケットの送信を再開するまでの動作について、装置Ｎ３−装置Ｎ４の間の無線回線ＷＬ３４の回線品質が回復した場合を例にとって、図５を用いて説明する。図５は、図１の端末装置監視システムの装置間の無線回線の劣化していた回線品質が回復した場合の回線復旧通知パケットの通知方向の一例を説明する説明図であり、装置Ｎ３−装置Ｎ４の間の無線回線ＷＬ３４において発生していた回線品質の劣化が回復した場合を例にとって示している。
【００５９】
図５の装置Ｎ３，装置Ｎ４それぞれにおいては、装置Ｎ３と装置Ｎ４との間の無線回線ＷＬ３４の無線通信部における受信電界レベルを測定しているが、回線品質の劣化の有無を判定するための電界レベルとしてあらかじめ定めた回線劣化電界閾値よりも低下していた状態から、回線品質が正常な状態に回復したことを判定するための電界レベルとしてあらかじめ定めた回線復旧電界閾値以上に達したことを検知すると、装置Ｎ３および装置Ｎ４それぞれは、装置Ｎ３と装置Ｎ４との間の無線回線ＷＬ３４の回線品質の劣化状態が解消し、正常な回線品質に回復したものと判定する。
【００６０】
装置Ｎ３および装置Ｎ４それぞれは、無線回線ＷＬ３４の回線品質が回復したとの判定結果に基づいて、当該無線回線ＷＬ３４の使用を再開するとともに、回線品質が劣化していた無線回線ＷＬ３４が回復した旨を示す図３のような回線復旧通知パケットを作成して、他の装置Ｎ１，Ｎ２，Ｎ５，Ｎ６，Ｎ７，Ｎ８に対して、装置Ｎ３，装置Ｎ４それぞれから放送形式で送信する動作が起動される。
【００６１】
ここで、装置Ｎ３，装置Ｎ４それぞれは、図５に示すように、回線劣化通知パケットを送信していた方向と同じ方向に、すなわち、回線品質が回復した無線回線ＷＬ３４とは逆方向に、回線復旧通知パケットを送信する。すなわち、当該無線回線ＷＬ３４の上り方向に位置する装置Ｎ３は、回線品質が回復した無線回線ＷＬ３４とは逆方向の上り方向に存在している装置Ｎ１および装置Ｎ２に対して回線復旧通知パケットを送信し、一方、当該無線回線ＷＬ３４の下り方向に位置する装置Ｎ４は、回線品質が回復した無線回線ＷＬ３４とは逆方向の下り方向に存在している装置Ｎ５，装置Ｎ６，装置Ｎ７および装置Ｎ８に対して回線復旧通知パケットを送信する。
【００６２】
その結果、例えば、回線復旧通知パケットの送信元の装置Ｎ３の上り方向に位置する装置Ｎ２においては、該回線復旧通知パケットを正常な有線回線Ｗ２３の方向（すなわち下り方向）から受信し、また、回線復旧通知パケットの送信元の装置Ｎ３の上り方向に位置する装置Ｎ１においても、該回線復旧通知パケットを正常な無線回線ＷＬ１２の方向（すなわち下り方向）から受信するので、装置Ｎ１，Ｎ２それぞれにおいて、装置Ｎ３の無線回線ＷＬ３４において回線品質が回復したことを確実に認識することができる。
【００６３】
而して、無線回線ＷＬ３４の回線品質の回復を検知した装置Ｎ３を含め、装置Ｎ１，Ｎ２，Ｎ３それぞれは、それぞれのＴＲＡＰ送信先アドレス／方向／劣化通知元テーブル１０１，１０２，１０３の劣化通知元装置１３１，１３２，１３３それぞれに設定されていた、下り方向のサーバＡ２に向かう通信ルートに存在する装置Ｎ３の無線回線ＷＬ３４の回線品質が劣化している旨の設定を消去し、装置Ｎ３の無線回線ＷＬ３４の回線品質が正常な状態に回復している状態に切り替える。
【００６４】
したがって、ＴＲＡＰ送信先アドレス／方向／劣化通知元テーブル１０１，１０２，１０３の劣化通知元装置１３１，１３２，１３３をそれぞれ参照する装置Ｎ１，Ｎ２，Ｎ３においては、装置Ｎ１，Ｎ２，Ｎ３それぞれから状況変化通知用のＴＲＡＰパケットを下り方向のサーバＡ２に対して送信する動作が再開され、上り方向のサーバＡ１のみならず、下り方向のサーバＡ２に対しても送信することになる。
【００６５】
さらに、装置Ｎ１，Ｎ２，Ｎ３それぞれにおいては、無線回線ＷＬ３４の回線品質の劣化が発生した時点以降に送信しようとしていた状況変化通知用のＴＲＡＰパケットを再送するために、送信済みＴＲＡＰのＳｅｑｕｅｎｓｅ  ＩＤ管理テーブル２０１，２０２，２０３のサーバＡ２向けのＴＲＡＰ  Sequence  ＩＤ２２１，２２２，２２３それぞれに設定されているＴＲＡＰ  Sequence  ＩＤを参照して、サーバＡ２向けに正常に送信済みであった最終のＴＲＡＰパケットのＴＲＡＰ  Sequence  ＩＤを取得する。
【００６６】
装置Ｎ１，Ｎ２，Ｎ３それぞれは、取得したＴＲＡＰ  Sequence  ＩＤを用いて、送信ＴＲＡＰテーブル３０１，３０２，３０３のＴＲＡＰ  Sequence  ＩＤ３１１，３１２，３１３それぞれを検索することによって、再送すべきＴＲＡＰ  Sequence  ＩＤ以降のＴＲＡＰパケットを、ＴＲＡＰ内容３３１，３３２，３３３それぞれから取り出して、順次、下り方向のサーバＡ２に向けて再送する。
【００６７】
また、回線品質が回復した無線回線ＷＬ３４の下り方向に存在する装置Ｎ４から回線復旧通知パケットを受信した装置Ｎ５，Ｎ６，Ｎ７，Ｎ８それぞれにおいても、回線品質の回復を検知した装置Ｎ４を含め、同様の動作を行う。装置Ｎ５，Ｎ６，Ｎ７，Ｎ８それぞれにおいては、まず、それぞれのＴＲＡＰ送信先アドレス／方向／劣化通知元テーブル１０４，１０５，１０６，１０７，１０８の劣化通知元装置１３４，１３５，１３６，１３７，１３８それぞれに設定されていた、上り方向のサーバＡ１に向かう通信ルートに存在する装置Ｎ４の無線回線ＷＬ３４の回線品質が劣化している旨の設定を消去し、装置Ｎ３の無線回線ＷＬ３４の回線品質が正常な状態に回復している状態に切り替える。
【００６８】
したがって、ＴＲＡＰ送信先アドレス／方向／劣化通知元テーブル１０４，１０５，１０６，１０７，１０８の劣化通知元装置１３４，１３５，１３６，１３７，１３８をそれぞれ参照する装置Ｎ４，Ｎ５，Ｎ６，Ｎ７，Ｎ８においては、装置Ｎ４，Ｎ５，Ｎ６，Ｎ７，Ｎ８それぞれから状況変化通知用のＴＲＡＰパケットを上り方向のサーバＡ１に対して送信する動作が再開され、下り方向のサーバＡ２のみならず、上り方向のサーバＡ１に対しても送信することになる。
【００６９】
さらに、装置Ｎ４，Ｎ５，Ｎ６，Ｎ７，Ｎ８それぞれにおいては、無線回線ＷＬ３４の回線品質の劣化が発生した時点以降に送信しようとしていた状況変化通知用のＴＲＡＰパケットを再送するために、送信済みＴＲＡＰのＳｅｑｕｅｎｓｅ  ＩＤ管理テーブル２０４，２０５，２０６，２０７，２０８のサーバＡ１向けのＴＲＡＰ  Sequence  ＩＤ２２４，２２５，２２６，２２７，２２８それぞれに設定されているＴＲＡＰ  Sequence  ＩＤを参照して、サーバＡ１向けに正常に送信済みであった最終のＴＲＡＰパケットのＴＲＡＰ  Sequence  ＩＤを取得する。
【００７０】
装置Ｎ４，Ｎ５，Ｎ６，Ｎ７，Ｎ８それぞれは、取得したＴＲＡＰ  Sequence  ＩＤを用いて、送信ＴＲＡＰテーブル３０４，３０５，３０６，３０７，３０８のＴＲＡＰ  Sequence  ＩＤ３１４，３１５，３１６，３１７，３１８それぞれを検索することによって、再送すべきＴＲＡＰ  Sequence  ＩＤ以降のＴＲＡＰパケットを、ＴＲＡＰ内容３３４，３３５，３３６，３３７，３３８それぞれから取り出して、順次、上り方向のサーバＡ１に向けて再送する。
【００７１】
かくのごとく、各装置Ｎ１〜Ｎ８は、無線回線ＷＬ３４の回線品質の劣化状態が正常な状態に回復した際に、サーバＡ１，Ａ２からの要求や指示を受けることなく、各装置Ｎ１〜Ｎ８からのサーバＡ１，Ａ２向けのＴＲＡＰパケットの送信動作について、過去に回線劣化通知パケットを受信した方向と同じ方向から送信されてくる回線復旧通知パケットを受信して、該回線復旧通知パケットを受信した方向に対するＴＲＡＰパケットの送信動作を再開する。すなわち、回線品質が正常な状態に回復した無線回線ＷＬ３４を通るルートのＴＲＡＰパケットの送信動作を再開する。而して、サーバＡ１，Ａ２双方へのＴＲＡＰパケットの送信動作を行うことができるようになるが、さらに、保存しておいた送信ＴＲＡＰパケットを再送する動作を行うこともできるので、サーバＡ１，Ａ２においては、回線品質が劣化していたために発生していた各装置Ｎ１〜Ｎ８の監視不能時間における状況変化に関する情報についても補完することが可能である。
【００７２】
なお、図１に示す端末装置監視システムの各装置Ｎｉ（ｉ＝１〜８）は、前述のような回線劣化通知パケット、回線復旧通知パケット以外にも、互いに隣接する装置Ｎ（ｉ−１），Ｎ（ｉ＋１）それぞれのＴＲＡＰ送信先アドレス／方向／劣化通知元テーブル１０ｊに設定されている情報を定期的に取得して、隣接装置ＮＮ（ｉ−１），Ｎ（ｉ＋１）が設定している回線の品質劣化情報を確認することが可能である。つまり、各装置Ｎｉ（ｉ＝１〜８）において、回線劣化通知パケットや回線復旧通知パケットを受信することができなかった場合があったとしても、隣接装置から回線の品質劣化情報を取得することによって、状況変化通知用のＴＲＡＰパケットのサーバＡ１，Ａ２向けの送信可否を判別することができる。
【００７３】
例えば、次のような回線確認用パケットを用いるようにしても良い。各装置Ｎｉは、あらかじめ定めた時間周期ごとに、定期的に、自装置ＮｉのＴＲＡＰ送信先アドレス／方向／劣化通知元テーブル１０ｉの劣化通知元装置１３ｉに設定されている回線品質の状態（回線品質の劣化箇所の有無）の情報を含む回線確認用パケットを、ＩＰパケットを用いて作成して、隣接する装置Ｎ（ｉ−１）、装置Ｎ（ｉ＋１）に対して送信する。なお、回線確認用パケットは、定期的に送信するのみならず、隣接装置からの要求時に（例えば回線確認用パケットが送信されてきた際に）、その応答として当該隣接装置に対して送信することも可能である。
【００７４】
回線確認用パケットを受信した隣接の装置Ｎ（ｉ−１）、装置Ｎ（ｉ＋１）それぞれは、該回線確認用パケットに設定されている回線劣化箇所を示す情報、および、反対側の隣接装置Ｎ（ｉ−２）、装置Ｎ（ｉ＋２）からの回線確認用パケットに設定されている回線劣化箇所を示す情報に基づいて、それぞれの装置Ｎ（ｉ−１）、装置Ｎ（ｉ＋１）のＴＲＡＰ送信先アドレス／方向／劣化通知元テーブル１０（ｉ−１），１０（ｉ＋１）の劣化通知元装置１３（ｉ−１），１３（ｉ＋１）の設定内容を更新するようにし、状況変化通知用のＴＲＡＰパケットの送信の中止／再開を制御する。
【００７５】
さらに、装置Ｎｉからの回線確認用パケットを受信した隣接する装置Ｎ（ｉ−１）、装置Ｎ（ｉ＋１）それぞれは、当該周期において、自装置Ｎ（ｉ−１）、装置Ｎ（ｉ＋１）それぞれから隣接装置に対して回線確認用パケットをまだ送信していなかった場合には、装置Ｎｉからの回線確認用パケットの受信を契機にして、自装置Ｎ（ｉ−１），Ｎ（ｉ＋１）それぞれのＴＲＡＰ送信先アドレス／方向／劣化通知元テーブル１０（ｉ−１），１０（ｉ＋１）の劣化通知元装置１３（ｉ−１），１３（ｉ＋１）それぞれに設定されている回線品質の状態（回線品質の劣化箇所の有無）の情報を含む回線確認用パケットを作成して、それぞれに隣接する装置Ｎ（ｉ−２）、装置Ｎｉおよび装置Ｎｉ、装置Ｎ（ｉ＋２）それぞれに対して転送する。
【００７６】
かかる動作を順次繰り返すことにより、各装置Ｎｉ（ｉ＝１〜８）は、自装置Ｎｉのみならず、他の装置Ｎｊ（ｊ＝１〜８、かつ、ｊ≠ｉ）それぞれのＴＲＡＰ送信先アドレス／方向／劣化通知元テーブル１０ｊの劣化通知元装置１３ｊに設定されている情報を取得することができ、他の装置Ｎｊが使用している回線の品質劣化情報を確認することができる。
【００７７】
図６は、図１に示す端末装置監視システムの各装置Ｎｉ（ｉ＝１〜８）が隣接する装置Ｎ（ｉ−１），Ｎ（ｉ＋１）に対して定期的に転送する回線確認用パケットのフォーマットの一例を説明するためのテーブルである。図６に示すように、回線確認用パケットは、宛先アドレス５１、送信元アドレス５２、および、データ部５３を少なくとも含んで構成される。宛先アドレス５１には、当該パケットを送信する宛先となる隣接装置のＩＰアドレスを設定する。送信元アドレス５２には、当該パケットの送信元の自装置のＩＰアドレスを設定する。データ部５３は、回線の品質状態を設定する部分であり、回線品質の劣化が発生している場合に、回線品質劣化箇所に関する情報を設定する。
【００７８】
なお、データ部５３は、劣化方向情報（１）５３１、劣化方向情報（２）５３２、…、劣化方向情報（ｎ）５３ｎと、回線品質の劣化箇所の個数に応じて回線品質劣化箇所に関する情報を複数設定することができるフィールドを有している。劣化方向情報（１）５３１、劣化方向情報（２）５３２、…、劣化方向情報（ｎ）５３ｎのそれぞれは、品質劣化が発生している回線方向の回線種別を示す回線方向（１）５３１１、回線方向（２）５３２１、…、回線方向（ｎ）５３ｎ１、および、当該回線品質の劣化を通知してきた装置を示す通知元装置（１）５３１２、通知元装置（２）５３２２、…、通知元装置（ｎ）５３ｎ２の各フィールドを少なくとも含んで構成されている。
【００７９】
次に、装置Ｎ１，Ｎ２，…，Ｎ８が互いに隣接する装置との間で、回線確認用パケットを送受信し合う様子を、各装置Ｎ１，Ｎ２，…，Ｎ８それぞれが使用する無線回線ＷＬ１２，ＷＬ３４，ＷＬ５６，ＷＬ７８の品質劣化の確認を行う場合について、図７および図８を用いて説明する。図７は、図１の端末装置監視システムの装置間の無線回線の回線品質の確認を行う回線確認用パケットの送受信動作の一例を説明する説明図であり、装置Ｎ３−装置Ｎ４の間の無線回線ＷＬ３４において回線品質の劣化が発生している場合の送受信動作の例を示している。図８は、図１の端末装置監視システムの装置間の無線回線の回線品質の確認を行う回線確認用パケットの送受信動作の他の例を説明する説明図であり、装置Ｎ３−装置Ｎ４の間の無線回線ＷＬ３４において発生していた回線品質の劣化が正常な状態に回復した場合の送受信動作の例を示している。
【００８０】
図７および図８に示すように、装置Ｎ２，Ｎ３，…，Ｎ７の各装置は、あらかじめ定めた時間間隔で、定期的に、上り方向と下り方向との双方に隣接する装置との間で、無線回線の品質劣化が発生しているか否かを確認するための回線確認用パケットを送受信し合っている。なお、上り方向の先頭に位置する装置Ｎ１、下り方向の最後尾に位置する装置Ｎ８については、それぞれに隣接する装置Ｎ２、装置Ｎ７の１個の装置との間で、回線確認用パケットを送受信し合っている。
【００８１】
ここで、図７においては、装置Ｎ３−装置Ｎ４の間の無線回線ＷＬ３４において回線品質の劣化が発生しているので、装置Ｎ３と装置Ｎ４との間は、回線確認用パケットの送受信を正常に行うことができない。したがって、装置Ｎ３は、上り方向の装置Ｎ２との間のみで回線確認用パケットを正常に送受信することができる状態になっている。また、装置Ｎ４は、下り方向の装置Ｎ５との間のみで回線確認用パケットを正常に送受信することができる状態になっている。
【００８２】
かかる場合には、装置Ｎ３、装置Ｎ４は、上り方向、下り方向の両端に位置している装置Ｎ１、装置Ｎ８と同様である。すなわち、無線回線ＷＬ３４の逆方向側に隣接する装置Ｎ２、装置Ｎ５それぞれから送信されて、正常に受信することができた１個の回線確認用パケットに設定されている情報に基づいて、各無線回線の品質劣化状態を確認して、それぞれの装置Ｎ３、装置Ｎ４のＴＲＡＰ送信先アドレス／方向／劣化通知元テーブル１０３，１０４の劣化通知元装置１３３，１３３それぞれの設定内容を更新するようにし、状況変化通知用のＴＲＡＰパケットの送信の中止／再開を制御する。
【００８３】
一方、回線品質が劣化した無線回線ＷＬ３４を接続する装置Ｎ３，装置Ｎ４および両端に位置する装置Ｎ１、装置Ｎ８以外の各装置Ｎ２，Ｎ５，Ｎ６，Ｎ７においては、前述したように、両隣の隣接装置からの２個の回線確認用パケットに設定されている情報に基づいて、各無線回線の品質劣化状態を確認して、それぞれの装置Ｎ２，Ｎ５，Ｎ６，Ｎ７のＴＲＡＰ送信先アドレス／方向／劣化通知元テーブル１０２，１０５，１０６，１０７の劣化通知元装置１３２，１３５，１３６，１３７それぞれの設定内容を更新するようにし、状況変化通知用のＴＲＡＰパケットの送信の中止／再開を制御する。
【００８４】
また、図８に示すように、装置Ｎ３−装置Ｎ４の間の無線回線ＷＬ３４において発生していた回線品質の劣化が正常な状態に回復した場合には、装置Ｎ３と装置Ｎ４との間も、回線確認用パケットの送受信を正常に行うことができる状態になる。したがって、装置Ｎ３、装置Ｎ４においても、両端に位置する装置Ｎ１、装置Ｎ８以外の他の装置と同様、両隣の隣接装置との間で回線確認用パケットを正常に送受信することができる。
【００８５】
したがって、かかる場合には、装置Ｎ３、装置Ｎ４においても、他の各装置Ｎ２，Ｎ５，Ｎ６，Ｎ７と同様、両隣の隣接装置からの２個の回線確認用パケットに設定されている情報に基づいて、各無線回線の品質劣化状態を確認して、それぞれの装置Ｎ３、装置Ｎ４のＴＲＡＰ送信先アドレス／方向／劣化通知元テーブル１０３，１０４の劣化通知元装置１３３，１３３それぞれの設定内容を更新するようにし、状況変化通知用のＴＲＡＰパケットの送信の中止／再開を制御する。
【００８６】
かくのごとき回線確認用パケットを定期的に隣接装置間で送受信することによって、各装置Ｎｉ（ｉ＝１〜８）は、たとえ、回線劣化通知パケット、回線復旧通知パケットをロスするような場合があったとしても、回線の品質が劣化している回線品質劣化箇所を確認することができるので、自装置ＮｉのＴＲＡＰ送信先アドレス／方向／劣化通知元テーブル１０ｉの劣化通知元装置１３ｉの設定内容を正確な状態に更新することができ、かつ、状況変化通知用のＴＲＡＰパケットの送信動作の中止や再開を行うことができる。
【００８７】
なお、前述した図４、図５および図７、図８においては、装置Ｎ３−装置Ｎ４の間の無線回線ＷＬ３４の１箇所のみに回線品質の劣化が発生し、残りの無線回線は正常な状態にある場合について説明した。しかし、例えば、図９や図１０に示すように、複数の無線回線に回線品質の劣化が発生して、回線劣化通知パケットや回線復旧パケットの送受信ルートが分断されるような状態になっても、各装置Ｎｉ（ｉ＝１〜８）は、隣接装置間で送受信する回線確認用パケットを併用することによって各無線回線の回線品質の状態を確認することができる。したがって、かくのごとく、複数の無線回線に回線品質の劣化が発生して、回線劣化通知パケットや回線復旧パケットの通知が届かない場合であっても、回線確認用パケットを併用することによって、各装置Ｎｉ（ｉ＝１〜８）は、サーバＡ１，Ａ２向けに送信する状況変化通知用のＴＲＡＰパケットの送信中止や送信再開の動作を適宜実施することができる。
【００８８】
図９は、図１の端末装置監視システムの装置間の複数の無線回線の回線品質が劣化した場合に回線劣化通知パケットの通知が分断される様子を説明する説明図であり、図１０は、図１の端末装置監視システムの装置間の無線回線の劣化していた回線品質が回復した場合に送信する回線復旧通知パケットの通知が分断される様子を説明する説明図である。
【００８９】
図９においては、装置Ｎ３−装置Ｎ４の間の無線回線ＷＬ３４の回線品質の劣化が発生していた状態で、さらに、装置Ｎ７−装置Ｎ８の間の無線回線ＷＬ７８の回線品質の劣化が発生した場合の回線劣化通知パケットの送信動作を示している。図９に示すように、無線回線ＷＬ７８の回線品質の劣化を検知した装置Ｎ７において、当該無線回線ＷＬ７８とは逆方向の上り方向に放送形式で回線劣化通知パケットを送信する動作を行うが、回線品質の劣化が既に発生している無線回線ＷＬ３４を介して送信することはできない。
【００９０】
したがって、たとえ、回線品質の劣化が検知された無線回線ＷＬ７８とは逆方向に装置Ｎ７から回線劣化通知パケットを送信しても、送信した回線劣化通知パケットは、上り方向の無線回線ＷＬ３４の手前までに位置する装置Ｎ６，Ｎ５，Ｎ４に対しては通知することができるが、無線回線ＷＬ３４の先の上り方向に位置している装置Ｎ３，Ｎ２，Ｎ１に対して通知することができず、回線劣化通知パケットの通知動作が分断されることになる。
【００９１】
また、図１０においては、図９の状態にあった場合において、まだ、装置Ｎ３−装置Ｎ４の間の無線回線ＷＬ３４の回線品質の劣化状態が継続している状況下で、回線品質の劣化が発生していた装置Ｎ７−装置Ｎ８の間の無線回線ＷＬ７８の回線品質が正常な状態に回復したので、その旨を示す回線復旧通知パケットの送信動作を示している。図１０に示すように、無線回線ＷＬ７８の回線品質の回復を検知した装置Ｎ７において、先に回線劣化通知パケットを送信した方向と同一の方向である当該無線回線ＷＬ７８とは逆方向の上り方向に放送形式で回線復旧通知パケットを送信する動作を行うが、回線品質の劣化が継続している無線回線ＷＬ３４を介して送信することはできない。
【００９２】
したがって、たとえ、先に回線劣化通知パケットを送信した方向と同一の方向に装置Ｎ７から回線復旧通知パケットを送信しても、送信した回線復旧通知パケットは、上り方向の無線回線ＷＬ３４の手前までに位置する装置Ｎ６，Ｎ５，Ｎ４に対しては通知することができるが、無線回線ＷＬ３４の先の上り方向に位置している装置Ｎ３，Ｎ２，Ｎ１に対して通知することができず、回線復旧通知パケットの通知動作が分断されることになる。
【００９３】
かくのごとく、複数の回線に回線品質の劣化が発生して、回線劣化通知パケットや回線復旧通知パケットの送信動作が分断されるような場合であっても、隣接装置間で定期的に送受信している回線確認用パケットを併用することによって、各装置Ｎｉ（ｉ＝１〜８）は、各回線の回線品質の状態を確認することができ、サーバＡ１，Ａ２向けのＴＲＡＰパケットの送信中止や送信再開を的確に実施することができる。
【００９４】
（本実施形態の動作の説明）
次に、本発明の一例として図１に例示した端末装置監視システムの具体的な動作について、フローチャートを用いてさらに詳細に説明する。
【００９５】
まず、図１の端末装置監視システムの各装置Ｎ１〜Ｎ８における通常時の動作シーケンスの一例を、図１１のフローチャートを用いて説明する。図１１は、図１の端末装置監視システムの各装置Ｎ１〜Ｎ８における通常時の動作の一例を説明するためのフローチャートである。なお、以下の説明においては、説明を理解し易くするために、各装置Ｎ１〜Ｎ８のうち、装置Ｎ３の場合を例にとって説明する。
【００９６】
装置Ｎ３内において、状況変化を示す何らかのイベントが発生した場合（ステップＳ１）、当該装置Ｎ３内の送信ＴＲＡＰテーブル３０３を参照して、次に送信すべきシーケンス番号を示すＴＲＡＰ  Sequence  ＩＤを取得して、当該ＴＲＡＰ  Sequence  ＩＤを送信ＴＲＡＰテーブル３０３のＴＲＡＰ  Sequence  ＩＤ３１３に設定するとともに、現在時刻を時刻３２３に設定し、発生したイベントの内容を、ＴＲＡＰ内容３３３に設定登録する（ステップＳ２）。
【００９７】
次いで、当該装置Ｎ３内のＴＲＡＰ送信先アドレス／方向／劣化通知先テーブル１０３を参照して、ＳＮＭＰ  Ｍａｎａｇｅｒ（ＳＮＭＰマネジャ）として登録されているサーバＡ１，Ａ２のＩＰアドレスを送信先ＩＰアドレス１１３から取得して、取得した当該送信先ＩＰアドレスのサーバＡ１，Ａ２向けの状況変化通知用のＴＲＡＰパケットを作成して上り方向と下り方向との双方に送信する（ステップＳ３）。
【００９８】
しかる後、送信済みのＴＲＡＰパケットの最終シーケンス番号を格納するために、当該装置Ｎ３内の送信済みＴＲＡＰ  Sequence  ＩＤ管理テーブル２０１の送信先ＩＰアドレス２１３に対応するＴＲＡＰ  Sequence  ＩＤ２２３に設定されているＴＲＡＰ  Sequence  ＩＤを、ステップＳ３において送信したＴＲＡＰパケットのＴＲＡＰ  Sequence  ＩＤのシーケンス番号に更新する（ステップＳ４）。
【００９９】
次に、図３ないし図５において説明した回線劣化通知パケット、回線復旧通知パケットの送信シーケンスの一例を、図１２のフローチャートを用いて説明する。図１２は、図１の端末装置監視システムの各装置Ｎ１〜Ｎ８における回線劣化通知パケット、回線復旧通知パケットの送信動作の一例を説明するためのフローチャートである。なお、以下の説明においては、説明を理解し易くするために、各装置Ｎ１〜Ｎ８のうち、装置Ｎ３−装置Ｎ４の間の無線回線ＷＬ３４の回線品質が劣化し、しかる後、回線品質が正常な状態に回復した場合の装置Ｎ３における動作を例にとって説明する。
【０１００】
また、各装置Ｎ１〜Ｎ８においては、前述したように、それぞれが使用する無線回線の電界レベルをあらかじめ定めた周期で定期的に測定し、かつ、測定した電界レベルに基づいて、回線品質の劣化や回線品質の復旧を検知するために、回線品質の劣化を判定するための電界レベルとしてあらかじめ定めた回線劣化電界閾値、回線品質が正常な状態に回復したことを判定するための電界レベルとしてあらかじめ定めた回線復旧電界閾値を、あらかじめ設定登録している。
【０１０１】
図１２のフローチャートにおいて、装置Ｎ３においては、一定周期ごとに、当該装置Ｎ３が使用する無線回線ＷＬ３４の現在の受信電界レベルを定期的に取得している（ステップＳ１１）。このとき、現時点では、回線劣化通知パケットを既に他の装置に送信していて、回線品質の回復を監視するための状態すなわち回線劣化通知済みの状態になっているか否かを確認する（ステップＳ１２）。
【０１０２】
回線劣化通知済みの状態になっていなかった場合は（ステップＳ１２のＮＯ）、現時点は、無線回線ＷＬ３４の回線品質の劣化の発生を監視している状態であるので、取得した受信電界レベルと前記回線劣化電界閾値とを比較する（ステップＳ１３）。受信電界レベルが回線劣化電界閾値よりも低下していなかった場合には（ステップＳ１３のＮＯ）、無線回線ＷＬ３４の回線品質は正常な状態であるので、何もしないで終了し、次の受信電界レベルの測定時刻まで待ち合わせる。
【０１０３】
一方、受信電界レベルが回線劣化電界閾値よりも低下していた場合には（ステップＳ１３のＹＥＳ）、無線回線ＷＬ３４の回線品質が劣化して、パケットの送受信ができない状態にあるものと判定して、図３に示したような回線劣化通知パケットを作成して、当該無線回線ＷＬ３４とは逆方向の上り方向に位置している各装置Ｎ１，Ｎ２に対して送信する（ステップＳ１４）。しかる後、当該無線回線ＷＬ３４を回線劣化状態に設定して、ＴＲＡＰ送信先アドレス／方向／劣化通知元テーブル１０３、送信済みＴＲＡＰ  Sequence  ＩＤ管理テーブル２０３を更新する（ステップＳ１５）。
【０１０４】
また、ステップＳ１２において、回線劣化通知済みの状態になっていた場合は（ステップＳ１２のＹＥＳ）、現時点は、回線品質の劣化が発生していた無線回線ＷＬ３４の回線品質が正常な状態に回復しているか否かを監視している状態であるので、取得した受信電界レベルと前記回線復旧電界閾値とを比較する（ステップＳ１６）。受信電界レベルが回線復旧電界閾値以上に達していなかった場合には（ステップＳ１６のＮＯ）、無線回線ＷＬ３４はまだ正常な状態に回復していない状態にあるので、何もしないで終了し、次の受信電界レベルの測定時刻まで待ち合わせる。
【０１０５】
一方、受信電界レベルが回線復旧電界閾値以上に達していた場合には（ステップＳ１６のＹＥＳ）、無線回線ＷＬ３４の回線品質が正常な状態に回復して、パケットの送受信を再開することができる状態にあるものと判定して、図３に示したような回線復旧通知パケットを作成して、先に回線劣化通知パケットを送信した方向と同一の方向に、すなわち、当該無線回線ＷＬ３４とは逆方向の上り方向に位置している各装置Ｎ１，Ｎ２に対して送信する（ステップＳ１７）。しかる後、当該無線回線ＷＬ３４の回線劣化状態を解除して、送信済みＴＲＡＰ  Sequence  ＩＤ管理テーブル２０３の設定内容に基づいて、送信ＴＲＡＰテーブル３０３を参照して、保存しているＴＲＡＰパケットの再送動作を開始するとともに、ＴＲＡＰ送信先アドレス／方向／劣化通知元テーブル１０３、送信済みＴＲＡＰ  Sequence  ＩＤ管理テーブル２０３を更新する（ステップＳ１８）。
【０１０６】
かくのごとく、各装置Ｎ１〜Ｎ８は、各装置Ｎ１〜Ｎ８それぞれが使用する無線回線の回線品質の劣化を検知した場合には、回線劣化通知パケットを他の装置に対して送信し、一方、各装置Ｎ１〜Ｎ８それぞれが使用する無線回線の回線品質が劣化状態から正常な状態に回復したことを検知した場合には、回線復旧通知パケットを他の装置に対して送信することになる。
【０１０７】
次に、装置Ｎｉ（ｉ＝１〜８）が他の装置Ｎｊ（ｊ＝１〜８。ｊ≠ｉ）から回線劣化通知パケットを受信した場合の動作シーケンスの一例を、図１３のフローチャートを用いて説明する。図１３は、図１の端末装置監視システムの各装置Ｎ１〜Ｎ８における回線劣化通知パケット受信時の動作の一例を説明するためのフローチャートである。なお、以下の説明においては、説明を理解し易くするために、各装置Ｎ１〜Ｎ８のうち、装置Ｎ２が、装置Ｎ３からの回線劣化通知パケットを受信した場合を例にとって説明する。
【０１０８】
図１３のフローチャートにおいて、装置Ｎ２においては、装置Ｎ３からの回線劣化通知パケットを受信すると（ステップＳ２１）、まず、当該回線劣化通知パケットを受信した受信ポートを確認する（ステップＳ２２）。該受信ポートを確認することによって、当該回線劣化通知パケットを受信した受信方向を確認することができる。本実施形態の場合、装置Ｎ３から回線劣化通知パケットを送信してきているので、当該回線劣化通知パケットの受信方向は、下り方向からであることが確認され、該下り方向には、ＴＲＡＰパケットの送信先となっているサーバＡ２が存在していることが分かる。
【０１０９】
次いで、当該回線劣化通知パケットを受信した受信ポートすなわち受信方向に基づいて、当該装置Ｎ２におけるＴＲＡＰ送信先アドレス／方向／劣化通知元テーブル１０２の送信先ＩＰアドレス１１２からＴＲＡＰパケットの送信先となっているサーバの送信先ＩＰアドレス（本実施形態の場合は、装置Ｎ３側にあるサーバＡ２のＩＰアドレス）を検索するとともに、ＴＲＡＰ送信先アドレス／方向／劣化通知元テーブル１０２の方向１２２、劣化通知元装置１３２に劣化発生情報を設定する（ステップＳ２３）。
【０１１０】
さらに、受信した回線劣化通知パケットに含まれている通知時刻情報（無線回線ＷＬ３４の回線品質の劣化が発生した時刻と同じ時刻）を取り出す（ステップＳ２４）。しかる後、取り出した通知時刻情報が示す回線劣化発生時刻の直前に送信していたＴＲＡＰパケットを、送信ＴＲＡＰテーブル３０２の時刻３２２に基づいて検索する。次いで、検索したＴＲＡＰパケットを、回線品質の劣化発生前において最終に送信済みとなったＴＲＡＰパケットとして特定して、該ＴＲＡＰパケットのＴＲＡＰ  Sequence  ＩＤを送信ＴＲＡＰテーブル３０２のＴＲＡＰ  Sequence  ＩＤ３１２から取得する（ステップＳ２５）。
【０１１１】
さらに、ステップＳ２３にて検索された送信元ＩＰアドレスとステップＳ２５にて取得した最終送信済みＴＲＡＰパケットのＴＲＡＰ  Sequence  ＩＤとに基づいて、送信済みＴＲＡＰ  Sequence  ＩＤ管理テーブル２０２のＴＲＡＰ  Sequence  ＩＤ２２２を更新する（ステップＳ２７）。
【０１１２】
しかる後、ステップＳ２３にて検索された送信先ＩＰアドレス（本実施形態の場合は、装置Ｎ３側にあるサーバＡ２の送信先ＩＰアドレス）に対してのＴＲＡＰパケットの送信動作を停止する（ステップＳ２７）。
【０１１３】
かくのごとく、各装置Ｎ１〜Ｎ８は、他の装置Ｎ１〜Ｎ８から無線回線の回線品質の劣化を示す回線劣化通知パケットを受信した場合に、当該無線回線を通るルートのＴＲＡＰパケットの送信動作を中止すると同時に、当該無線回線の回線品質が正常な状態に回復した際に、次に再送を開始すべきＴＲＡＰパケットのシーケンス番号であるＴＲＡＰ  Sequence  ＩＤを保存した状態に設定することができる。
【０１１４】
次に、装置Ｎｉ（ｉ＝１〜８）が他の装置Ｎｊ（ｊ＝１〜８。ｊ≠ｉ）から回線復旧通知パケットを受信した場合の動作シーケンスの一例を、図１４のフローチャートを用いて説明する。図１４は、図１の端末装置監視システムの各装置Ｎ１〜Ｎ８における回線復旧通知パケット受信時の動作の一例を説明するためのフローチャートである。なお、以下の説明においては、説明を理解し易くするために、各装置Ｎ１〜Ｎ８のうち、装置Ｎ２が、装置Ｎ３からの回線復旧通知パケットを受信した場合を例にとって説明する。
【０１１５】
図１４のフローチャートにおいて、装置Ｎ２においては、装置Ｎ３からの回線復旧通知パケットを受信すると（ステップＳ３１）、回線劣化通知パケットの受信時と同様、まず、当該回線復旧通知パケットを受信した受信ポートを確認する（ステップＳ３２）。該受信ポートを確認することによって、当該回線劣化通知パケットを受信した受信方向を確認することができる。本実施形態の場合、装置Ｎ３から回線復旧通知パケットを送信されてきているので、当該回線復旧通知パケットの受信方向は、下り方向からであることが確認され、該下り方向には、ＴＲＡＰパケットの送信先となっているサーバＡ２が存在していることが分かる。
【０１１６】
次いで、当該回線復旧通知パケットを受信した受信ポートすなわち受信方向に基づいて、当該装置Ｎ２におけるＴＲＡＰ送信先アドレス／方向／劣化通知元テーブル１０２の送信先ＩＰアドレス１１２からＴＲＡＰパケットの送信先となっているサーバの送信先ＩＰアドレス（本実施形態の場合は、装置Ｎ３側にあるサーバＡ２の送信先ＩＰアドレス）を検索するとともに、ＴＲＡＰ送信先アドレス／方向／劣化通知元テーブル１０２の方向１２２、劣化通知元装置１３２に設定されていた劣化発生情報を消去する（ステップＳ３３）。
【０１１７】
さらに、ステップＳ３３にて検索された送信元ＩＰアドレス（本実施形態の場合は、装置Ｎ３側にあるサーバＡ２の送信先ＩＰアドレス）に基づいて、送信済みＴＲＡＰ  Sequence  ＩＤ管理テーブル２０２のＴＲＡＰ  Sequence  ＩＤ２２２から、当該受信方向に位置している送信先ＩＰアドレス（本実施形態の場合は、装置Ｎ３側にあるサーバＡ２の送信先ＩＰアドレス）に対して回線品質の劣化発生前において最終に送信済みとなったＴＲＡＰパケットのＴＲＡＰ  Sequence  ＩＤを、当該装置Ｎ２における送信済みＴＲＡＰ  Sequence  ＩＤ管理テーブル２０２のＴＲＡＰ  Sequence  ＩＤ２２２から検索する（ステップＳ３４）。
【０１１８】
しかる後、ステップＳ３４にて検索された最終送信済みのＴＲＡＰパケットのＴＲＡＰ  Sequence  ＩＤに基づいて、当該装置Ｎ２における送信ＴＲＡＰテーブル３０２を参照して、再送すべき先頭のＴＲＡＰパケットを決定して、該当するＴＲＡＰ内容３３２に保存されている状況変化通知用の情報を取り出して、ＴＲＡＰパケットを作成して、ステップＳ３３にて検索された送信先ＩＰアドレスが示すサーバＡ２に向けて下り方向のポートから送信し、以降、送信ＴＲＡＰテーブル３０２に保存されている順番に、順次、ＴＲＡＰパケットを作成してサーバＡ２に向けて送信する（ステップＳ３５）。
【０１１９】
かくのごとく、各装置Ｎ１〜Ｎ８は、他の装置Ｎ１〜Ｎ８から無線回線の回線品質の回復を示す回線復旧通知パケットを受信した場合には、当該無線回線を通るルートのＴＲＡＰパケットの送信動作を再開すると同時に、当該無線回線の回線品質の劣化発生時に送信を保留していたＴＲＡＰパケットから順次再送することにより、ＴＲＡＰパケットの抜けを防止し、サーバＡ１，Ａ２において、各装置Ｎｉ（ｉ＝１〜８）の状況変化に関する情報の補完を行うことが可能になる。
【０１２０】
次に、装置Ｎｉ（ｉ＝１〜８）が両隣に隣接する装置Ｎ（ｉ−１）、装置Ｎ（ｉ＋１）との間で回線確認用パケットを送受信して無線回線の劣化情報を交換し合う場合の動作シーケンスの一例を、図１５のフローチャートを用いて説明する。図１５は、図１の端末装置監視システムの各装置Ｎ１〜Ｎ８における回線確認用パケット送受信時の動作の一例を説明するためのフローチャートである。なお、以下の説明においては、説明を理解し易くするために、各装置Ｎ１〜Ｎ８のうち、装置Ｎ３が、隣接する装置Ｎ２、装置Ｎ４との間で図６に示す回線確認用パケットを送受信した場合を例にとって説明する。
【０１２１】
図１５のフローチャートにおいて、装置Ｎ３においては、あらかじめ定めた時間周期に達すると、当該装置Ｎ３のＴＲＡＰ送信先アドレス／方向／劣化通知元テーブル１０３の劣化通知元装置１３３に設定されている内容を参照して、図６に示したような回線確認用パケットを作成して、隣接する装置Ｎ２、装置Ｎ４に対して送信するとともに（ステップＳ４１）、隣接する装置Ｎ２、装置Ｎ４から、応答として、回線確認用パケットが送信されてくるか否かを監視する（ステップＳ４２）。
【０１２２】
隣接する装置Ｎ２、装置Ｎ４から、応答があって、回線確認用パケットを受信した場合は（ステップＳ４２のＹＥＳ）、受信した回線確認用パケットに設定されている内容に基づいて、当該装置Ｎ３のＴＲＡＰ送信先アドレス／方向／劣化通知元テーブル１０３の劣化通知元装置１３３に設定されている内容を書き換える（ステップＳ４３）。このとき、劣化通知元装置１３３に回線品質劣化箇所の情報が設定されていなかった状態から１個以上の回線品質劣化箇所の情報（１個以上の劣化通知元装置の情報）が新たに設定登録された状態に更新された場合は、設定登録された当該装置が位置している方向に向かうポート方向に対するＴＲＡＰパケットの送信動作を停止する。また、劣化通知元装置１３３に１個以上の回線品質劣化箇所の情報（１個以上の劣化通知元装置の情報）が設定されていた状態から１個も設定されていない状態に更新された場合は、今まで送信動作を停止していたポート方向に対するＴＲＡＰパケットの送信動作を再開する。
【０１２３】
一方、隣接する装置Ｎ２、装置Ｎ４から、応答がなく、回線確認用パケットを受信することができなかった場合は（ステップＳ４２のＮＯ）、応答がなかった隣接装置例えば装置Ｎ４との間の無線回線ＷＬ３４に回線品質の劣化が新たに発生しているものと判定して、当該装置Ｎ３のＴＲＡＰ送信先アドレス／方向／劣化通知元テーブル１０３の劣化通知元装置１３３に応答がなかった隣接装置例えば装置Ｎ４を回線品質の劣化発生元として設定登録する（ステップＳ４４）。さらに、装置Ｎ３は、応答がなかった隣接装置例えば装置Ｎ４に向かう方向のＴＲＡＰパケットの送信動作を停止する。
【０１２４】
なお、隣接する装置Ｎ２、Ｎ４それぞれにおいては、装置Ｎ３から回線確認用パケットを受信した際に、当該装置Ｎ２，Ｎ４からの回線確認用パケットを隣接装置Ｎ３に対してまだ送信していなかった場合には、応答として、当該装置Ｎ２，Ｎ４における回線状態の設定情報を示す回線確認用パケットを作成して、隣接装置Ｎ３に対して送信する。ここで、該応答用の回線確認用パケットには、装置Ｎ３に向かうポートとは逆方向のポート側の方向に無線回線の劣化が発生しているか否かを示す情報（発生していた場合には、その発生箇所を示す劣化通知元装置に関する情報）を設定して送信する。
【０１２５】
かくのごとく、各装置Ｎ１〜Ｎ８は、あらかじめ定めた時間周期に達する都度、定期的に、隣接装置との間で、回線確認用パケットの送受信動作を行うことにより、各装置Ｎ１〜Ｎ８は、たとえ、図３に示した回線劣化通知パケットや回線復旧通知パケットの受信ロスを生じたとしても、常に、ＴＲＡＰパケットの送信可否を最新の状態で保持することが可能になる。
【０１２６】
また、隣接装置においては、回線確認用パケットが送信されてきた装置の方向とは逆方向に回線品質の劣化が発生しているか否かを示す情報を設定した回線確認用パケットを、応答として、回線確認用パケットが送信されてきた装置に送信するようにしても良く、かかる回線確認用パケットを応答用として受信する場合には、必要とする回線方向のみの回線状態に関する情報の更新が可能となる。
【０１２７】
（本実施形態の効果の説明）
以上に詳細に説明したように、本実施形態においては、次のような効果が得られる。
【０１２８】
監視装置のサーバＡ１，Ａ２においては、監視対象装置である端末装置の装置Ｎ１〜Ｎ８それぞれにおける回線劣化状態を意識する必要はなく、かつ、装置Ｎ１〜Ｎ８それぞれにおけるいずれかの回線に回線品質の劣化が発生した場合においても、サーバＡ１，Ａ２が一切関わることなく、各装置Ｎ１〜Ｎ８側にて、品質劣化が発生した回線を通るルートのＴＲＡＰパケットの送信動作を確実に中止することができ、各装置Ｎ１〜Ｎ８からＴＲＡＰパケットにより送信されてくる状況変化に関する情報の受信ロスを防止することが可能である。
【０１２９】
また、監視装置のサーバＡ１，Ａ２においては、ＴＲＡＰパケットの受信方法を変えることなく、監視対象装置の装置Ｎ１〜Ｎ８側でＴＲＡＰパケットの送信動作を中止していた間の状況変化を示す情報を保存していて、回線品質が回復した際に、装置Ｎ１〜Ｎ８側におけるＴＲＡＰパケットの再送動作の自動的に起動されて、中止期間中に保存していた状況変化通知用のＴＲＡＰパケットを受け取ることができ、各装置Ｎ１〜Ｎ８の状況変化に関する情報を補完することが可能である。
【０１３０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１３１】
１０ｉ      ＴＲＡＰ送信先アドレス／方向／劣化通知元テーブル
１０１      ＴＲＡＰ送信先アドレス／方向／劣化通知元テーブル
１０２      ＴＲＡＰ送信先アドレス／方向／劣化通知元テーブル
１０３      ＴＲＡＰ送信先アドレス／方向／劣化通知元テーブル
１０４      ＴＲＡＰ送信先アドレス／方向／劣化通知元テーブル
１０５      ＴＲＡＰ送信先アドレス／方向／劣化通知元テーブル
１０６      ＴＲＡＰ送信先アドレス／方向／劣化通知元テーブル
１０７      ＴＲＡＰ送信先アドレス／方向／劣化通知元テーブル
１０８      ＴＲＡＰ送信先アドレス／方向／劣化通知元テーブル
１１ｉ      送信先ＩＰアドレス
１２ｉ      方向
１３ｉ      劣化通知元装置
１３１      劣化通知元装置
１３２      劣化通知元装置
１３３      劣化通知元装置
１３４      劣化通知元装置
１３５      劣化通知元装置
１３６      劣化通知元装置
１３７      劣化通知元装置
１３８      劣化通知元装置
２０ｉ      送信済みＴＲＡＰ  Sequence  ＩＤ管理テーブル
２０１      送信済みＴＲＡＰ  Sequence  ＩＤ管理テーブル
２０２      送信済みＴＲＡＰ  Sequence  ＩＤ管理テーブル
２０３      送信済みＴＲＡＰ  Sequence  ＩＤ管理テーブル
２０４      送信済みＴＲＡＰ  Sequence  ＩＤ管理テーブル
２０５      送信済みＴＲＡＰ  Sequence  ＩＤ管理テーブル
２０６      送信済みＴＲＡＰ  Sequence  ＩＤ管理テーブル
２０７      送信済みＴＲＡＰ  Sequence  ＩＤ管理テーブル
２０８      送信済みＴＲＡＰ  Sequence  ＩＤ管理テーブル
２１ｉ      送信先ＩＰアドレス
２２ｉ      ＴＲＡＰ  Sequence  ＩＤ
２２１      ＴＲＡＰ  Sequence  ＩＤ
２２２      ＴＲＡＰ  Sequence  ＩＤ
２２３      ＴＲＡＰ  Sequence  ＩＤ
２２４      ＴＲＡＰ  Sequence  ＩＤ
２２５      ＴＲＡＰ  Sequence  ＩＤ
２２６      ＴＲＡＰ  Sequence  ＩＤ
２２７      ＴＲＡＰ  Sequence  ＩＤ
２２８      ＴＲＡＰ  Sequence  ＩＤ
３０ｉ      送信ＴＲＡＰテーブル
３０１      送信ＴＲＡＰテーブル
３０２      送信ＴＲＡＰテーブル
３０３      送信ＴＲＡＰテーブル
３０４      送信ＴＲＡＰテーブル
３０５      送信ＴＲＡＰテーブル
３０６      送信ＴＲＡＰテーブル
３０７      送信ＴＲＡＰテーブル
３０８      送信ＴＲＡＰテーブル
３１ｉ      ＴＲＡＰ  Sequence  ＩＤ
３１１      ＴＲＡＰ  Sequence  ＩＤ
３１２      ＴＲＡＰ  Sequence  ＩＤ
３１３      ＴＲＡＰ  Sequence  ＩＤ
３１４      ＴＲＡＰ  Sequence  ＩＤ
３１５      ＴＲＡＰ  Sequence  ＩＤ
３１６      ＴＲＡＰ  Sequence  ＩＤ
３１７      ＴＲＡＰ  Sequence  ＩＤ
３１８      ＴＲＡＰ  Sequence  ＩＤ
３２ｉ      時刻
３２１      時刻
３２２      時刻
３２３      時刻
３２４      時刻
３２５      時刻
３２６      時刻
３２７      時刻
３２８      時刻
３３ｉ      ＴＲＡＰ内容
４１        宛先アドレス
４２        送信元アドレス
４３        データ部
４３ａ      通知種別
４３ｂ      通知時刻
５１        宛先アドレス
５２        送信元アドレス
５３        データ部
５３１      劣化方向情報（１）
５３２      劣化方向情報（２）
５３ｎ      劣化方向情報（ｎ）
５３１１    回線方向（１）
５３２１    回線方向（２）
５３ｎ１    回線方向（ｎ）
５３１２    通知元装置（１）
５３２２    通知元装置（２）
５３ｎ２    通知元装置（ｎ）
Ａ１        サーバ（監視サーバ）
Ａ２        サーバ（監視サーバ）
Ｎ１        装置（端末装置）
Ｎ２        装置（端末装置）
Ｎ３        装置（端末装置）
Ｎ４        装置（端末装置）
Ｎ５        装置（端末装置）
Ｎ６        装置（端末装置）
Ｎ７        装置（端末装置）
Ｎ８        装置（端末装置）
Ｗ１１      有線回線
Ｗ２３      有線回線
Ｗ４５      有線回線
Ｗ６７      有線回線
Ｗ８２      有線回線
ＷＬ１２    無線回線
ＷＬ３４    無線回線
ＷＬ５６    無線回線
ＷＬ７８    無線回線
【図１】
0005691700.tif 000002
【図２】
0005691700.tif 000003
【図３】
0005691700.tif 000004
【図４】
0005691700.tif 000005
【図５】
0005691700.tif 000006
【図６】
0005691700.tif 000007
【図７】
0005691700.tif 000008
【図８】
0005691700.tif 000009
【図９】
0005691700.tif 000010
【図１０】
0005691700.tif 000011
【図１１】
0005691700.tif 000012
【図１２】
0005691700.tif 000013
【図１３】
0005691700.tif 000014
【図１４】
0005691700.tif 000015
【図１５】
0005691700.tif 000016